(57)【特許請求の範囲】
【請求項１】
車両のシートバックの上端部に取り付けられるヘッドレストアンカーにブラケットを介して支持され、前記シートバックの後面側に吊り下げられる空気清浄器の取付け構造であって、
前記ブラケットは、長手方向の他方の端部に前記空気清浄器が固定される長板状の上側金具と、この上側金具の一方の端部との間に前記ヘッドレストアンカーを上下両側から挟み込んで固定される下側金具とで構成され、
前記下側金具は、前記ヘッドレストアンカーと前記シートバックの上端面との間に差し込まれる底部と、この底部の一端側より前記ヘッドレストアンカーの前方側を上方へ折り曲げられ、更に前記ヘッドレストアンカーより上方で内側（前記ヘッドレストアンカー側）へ折り返された折り返し部と、前記底部の他端側より前記ヘッドレストアンカーの後方側に取り出された受け部とを有し、
前記上側金具は、前記一方の端部が前記ヘッドレストアンカーの上部に配置されて、前記下側金具の底部との間に前記ヘッドレストアンカーを挟み込み、且つ前記一方の端部の先端部が前記折り返し部の下側に係合した状態で、前記受け部に対し螺子で締め付けて固定されることを特徴とする車両のシートバックに対する空気清浄器の取付け構造。
【発明の詳細な説明】
【０００１】
【発明の属する技術分野】
本発明は、車両のシートバックにブラケットを介して空気清浄器を取り付けるための取付け構造に関する。
【０００２】
【従来の技術】
従来より、車両のシートバックに補助テーブルやハンガー等の被吊下げ物を取り付けることがある。この場合の取付け方法としては、図８に示すように、被吊下げ物１００に固定されたブラケット１１０の端部をシートバックの上端部に設けられているヘッドレストアンカー１２０に挟み込んで取り付けることが一般的である。
【０００３】
【発明が解決しようとする課題】
ところが、上記の取付け方法では、ヘッドレストアンカー１２０にブラケット１１０が固定されていない（ブラケット１１０をヘッドレストアンカー１２０に挟み込んでいるだけ）ため、ヘッドレストアンカー１２０とブラケット１１０との間に隙間が残ってしまう。その結果、車両走行時等の振動によって被吊下げ物１００が前後（車両の前後方向）に激しく揺れ動き、シートバックに衝突を繰り返すことがある。このため、例えば電気制御部品を内部に組み込んだ空気清浄器等の振動に弱い製品の場合は、被吊下げ物１００としてシートバックに取り付けることができないという問題があった。
本発明は、上記事情に基づいて成されたもので、その目的は、車両のシートバックに対する空気清浄器の取付け構造において、ブラケットを介して空気清浄器に伝わる振動を抑制できる取付け構造を提供することにある。
【０００４】
【課題を解決するための手段】
（請求項１の手段）
ブラケットは、長手方向の他方の端部に空気清浄器が固定される長板状の上側金具と、この上側金具の一方の端部との間にヘッドレストアンカーを上下両側から挟み込んで固定される下側金具とで構成される。
下側金具は、ヘッドレストアンカーとシートバックの上端面との間に差し込まれる底部と、この底部の一端側よりヘッドレストアンカーの前方側を上方へ折り曲げられ、更にヘッドレストアンカーより上方で内側（ヘッドレストアンカー側）へ折り返された折り返し部と、底部の他端側よりヘッドレストアンカーの後方側に取り出された受け部とを有し、上側金具は、一方の端部がヘッドレストアンカーの上部に配置されて、下側金具の底部との間にヘッドレストアンカーを挟み込み、且つ一方の端部の先端部が折り返し部の下側に係合した状態で、受け部に対し螺子で締め付けて固定される。
これにより、ヘッドレストアンカーと上側金具及び下側金具との間に隙間が無くなり、ヘッドレストアンカーに対するブラケットのがたつきを無くすことができるので、ブラケットを介して空気清浄器に伝わる振動を抑制できる。その結果、振動に弱い電気制御部品を内部に組み込んだ空気清浄器をシートバックに取り付けた（吊り下げた）場合でも、電気制御部品に対して振動による悪影響を防止できる。
また、ブラケットは、上側金具と下側金具とが別体に設けられているので、例えば車種毎にヘッドレストアンカーの形状が異なる場合でも、一種類の上側金具と下側金具とで対応することが可能である。
【０００８】
【発明の実施の形態】
次に、本発明の実施例を図面に基づいて説明する。
（第１実施例）
図１はブラケットの取付け構造を示す斜視図である。
本実施例では、車両のシートバック１にブラケット２、３を用いて空気清浄器４（図５参照）を取り付ける場合の取付け構造について説明する。なお、空気清浄器４は、内部に電気制御部品を組み込んだ極めて周知の構成を有するもので、ここでの説明は省略する。
シートバック１の上端部には、ヘッドレスト５を固定するためのヘッドレストアンカー６が取り付けられている。
【０００９】
ヘッドレストアンカー６は、シートバック１の上部に露出するアンカー部６Ａ（請求項１に記載したヘッドレストアンカーに相当する）と、このアンカー部６Ａの下方へ円筒状に延びて設けられ、シートバック１の内部に挿入される棒状の挿入部６Ｂとを有し、アンカー部６Ａの中央部と挿入部６Ｂの内部を貫通する貫通穴６ａが形成されている。
ヘッドレスト５は、図５に示すように下方へ延びる２本の支持棒５ａを有し、この２本の支持棒５ａをヘッドレストアンカー６の貫通穴６ａに差し込んで、ヘッドレストアンカー６に固定される。
【００１０】
ブラケットは、例えば金属製の上側金具２と下側金具３から成る。
上側金具２は、長板状に設けられ、図２に示すように、一方の端部２ａと他方の端部２ｂとが略９０度を成すように折り曲げられて弾力を持たせてある。あるいは、図３に示すように、一方の端部２ａと他方の端部２ｂとの間を湾曲させても良い。
上側金具２の一方の端部２ａには、図１に示すように、ヘッドレスト５の支持棒５ａを通すための丸穴２ｃと、螺子７を通すための小穴２ｄが開けられている。また、上側金具２の他方の端部２ｂは、図示しない螺子等によって空気清浄器４に固定される。
【００１１】
下側金具３は、図４に示すように、Ｕ字状の開口部を有する底部３ａと、この底部３ａの一端側から上方へ折り曲げられて更に内側へ折り返された折り返し部３ｂと、底部３ａの他端側から上方へ折り曲げられて更に外側へ折り曲げられた受け部３ｃとを有し、この受け部３ｃに螺子孔３ｄが設けられている。
下側金具３の底部３ａは、シートバック１の上端面とヘッドレストアンカー６のアンカー部６Ａとの間に差し込まれる。折り返し部３ｂは、底部３ａとの間隔が、アンカー部６Ａと上側金具２の板厚とを合計した寸法と略等しく設けられ、図１及び２に示すように、アンカー部６Ａの上部に配される上側金具２の一方の端部２ａを上方から覆っている。受け部３ｃは、底部３ａに対して折り返し部３ｂより低い位置に設けられ、アンカー部６Ａの上部に配される上側金具２の一方の端部２ａとの間に多少の隙間を有している。
【００１２】
次に、シートバック１へのブラケット（上側金具２、下側金具３）の取付け方法について説明する。
まず、ヘッドレストアンカー６のアンカー部６Ａとシートバック１の上端面との間に下側金具３の底部３ａをスライドさせながら差し込んで下側金具３を取り付ける。
続いて、図１に示すように、ヘッドレスト５を取り外した状態で、上側金具２の一方の端部２ａをアンカー部６Ａの上部に配置する。
最後に、図２に示すように、上側金具２の一方の端部２ａの先端部を、下側金具３の折り返し部３ｂの下側に係合させた状態で、一方の端部２ａに開けられた小穴２ｄに螺子７を通して、下側金具３の受け部３ｃに設けられた螺子孔３ｄに結合し、上側金具２の一方の端部２ａと下側金具３の受け部３ｃとが密着するまで螺子７を締め付ける。
これにより、ブラケット（上側金具２、下側金具３）が確実にアンカー部６Ａに固定される。
【００１３】
（第１実施例の効果）
本実施例のブラケットは、上側金具２の一方の端部２ａと下側金具３とでヘッドレストアンカー６のアンカー部６Ａを上下両側から挟み込み、更に上側金具２の一方の端部２ａと下側金具３の受け部３ｃとを螺子７で締め付けることにより、アンカー部６Ａの上面と上側金具２の一方の端部２ａとが密着し、且つアンカー部６Ａの下面と下側金具３の底部３ａとが密着する。これにより、アンカー部６Ａとブラケットとの間にがたつきの要因となる隙間を無くすことができ、アンカー部６Ａにブラケットを確実に固定できるので、車両走行時等にブラケットを介して空気清浄器４に伝わる振動を抑制できる。従って、振動に弱い電気制御部品を内蔵する空気清浄器４でもシートバック１に取り付けることができる。
【００１４】
次に、本発明の参考例を図６および図７に示す。
（参考例）
図６はブラケットの取付け構造を示す側面図、図７はブラケットの側面図である。
この参考例に示すブラケットは、図７に示すように、上側金具２と下側金具３とを一体に設けたものである。具体的には、第１実施例で説明した下側金具３の折り返し部３ｂを上側金具２の一方の端部２ａに繋げて一体化している。
【００１５】
なお、上述の第１実施例では、ブラケットを介して空気清浄器４をシートバック１に取り付ける例を説明しているが、空気清浄器４以外でも振動に弱い電気部品を内蔵する製品をシートバック１に取り付けることもできる。あるいは、電気製品以外でも、例えば後席用の補助テーブルやハンガー等の被吊下げ物を対象とすることもできる。
【図面の簡単な説明】
【図１】ブラケットの取付け構造を示す斜視図である（第１実施例）。
【図２】ブラケットの取付け構造を示す側面図である（第１実施例）。
【図３】上側金具の側面図である（第１実施例）。
【図４】下側金具の三面図である（第１実施例）。
【図５】空気清浄器をシートバックに取付けた状態を示す斜視図である。
【図６】ブラケットの取付け構造を示す側面図である（参考例）。
【図７】ブラケットの側面図である（参考例）。
【図８】ブラケットの取付け構造を示す側面図である（従来技術）。
【符号の説明】
１    シートバック
２    上側金具（ブラケット）
２ａ  上側金具の一方の端部
２ｂ  上側金具の他方の端部
３    下側金具（ブラケット）
４    空気清浄器
６    ヘッドレストアンカー
７    螺子
【図１】
0003583949.tif 000002
【図２】
0003583949.tif 000003
【図３】
0003583949.tif 000004
【図４】
0003583949.tif 000005
【図５】
0003583949.tif 000006
【図６】
0003583949.tif 000007
【図７】
0003583949.tif 000008
【図８】
0003583949.tif 000009